(57)【要約】      （修正有）【課題】運搬しやすく、壊れにくい形状で、使用の際には意匠的に優れた顧客吸引力のある造形の簡易ハウスを提供する。【解決手段】第１の屋根パネル１６と第２の屋根パネル１７とが山形に接合された屋根１５が本体フレーム５上に設置される。屋根１５は棟位置をロッド１８で支持されるとともに、両屋根パネル１６、１７はそれぞれ本体フレーム５上部に配置されたローラー６によって支持されている。ロッド１８は基部側で本体フレーム５側に回動可能に支持されている。ロッド１８が基部を中心に回動させられることで屋根１５はローラー６に案内されて回動可能とされ、第１の停止位置で屋根１５の棟が起立し、第２の停止位置で第２の屋根パネル１７が本体フレーム５の側方に退避し第１の屋根パネル１６が本体フレーム５上部に倒伏する。【選択図】図８
0003223856.tif 000002
【実用新案登録請求の範囲】
【請求項１】
第１の屋根パネルと第２の屋根パネルとが傾斜を持って接合された山形形状の屋根は、本体フレーム上に設置され、
前記屋根は前記本体フレームに対して束部材で支持されるとともに、前記第１の屋根パネルと前記第２の屋根パネルはそれぞれ前記本体フレーム上部に配置された案内部材によって支持されており、
前記束部材はその先端側で前記屋根の棟、あるいは棟近傍を支持する一方、基部側で前記本体フレーム側に回動可能に支持され、
前記束部材が直接的又は間接的に前記基部を中心に回動させられることで前記屋根は案内部材によって案内されて回動可能とされ、所定の第１の停止位置では前記屋根の棟が上方を向いて配置され、所定の第２の停止位置では前記第１の屋根パネルが前記本体フレームの側方に退避し前記第２の屋根パネルが前記本体フレーム上部に倒伏した屋根格納位置に配置されることを特徴とする簡易ハウス。
【請求項２】
前記束部材を直接的又は間接的に前記基部を中心に回動させるための回動装置を設けたことを特徴とする請求項１に記載の簡易ハウス。
【請求項３】
前記第１の屋根パネルと前記第２の屋根パネルとのなす内角は直角あるいは直角に近い角度であることを特徴とする請求項１又は２に記載の簡易ハウス。
【請求項４】
前記束部材先端は前記屋根側の被係合部に係合されていることを特徴とする請求項１〜３のいずれかに記載の簡易ハウス。
【請求項５】
前記屋根は前記束部材に非固定状態で支持されていることを特徴とする請求項１〜４のいずれかに記載の簡易ハウス。
【請求項６】
前記本体フレームの外周には壁パネルが配設されていることを特徴とする請求項１〜５のいずれかに記載の簡易ハウス。
【請求項７】
前記第２の屋根パネル側の前記壁パネルにはテーブルが配設されており、前記屋根が前記第１の停止位置方向に移動することに連動して前記テーブルは使用位置方向に移動し、前記第２の停止位置方向に移動することで格納位置方向に移動することを特徴とする請求項６に記載の簡易ハウス。
【請求項８】
前記テーブルが配設された前記壁パネル上部位置には内外に連通する開口部が形成されていることを特徴とする請求項７に記載の簡易ハウス。
【請求項９】
前記第１の屋根パネルの軒には移動式壁パネルが吊り下げられており、前記移動式壁パネルは前記第１の停止位置では前記本体フレームに隣接した位置に格納され、前記第２の停止位置で前記本体フレームから外方に張り出した位置に配置されることを特徴とする請求項１〜８のいずれかに記載の簡易ハウス。
【請求項１０】
前記本体フレームはトラックの荷台に設置されて運搬可能であることを特徴とする請求項１〜９のいずれかに記載の簡易ハウス。
【請求項１１】
請求項１〜１０の簡易ハウスを搭載した車両。
【考案の詳細な説明】
【技術分野】
【０００１】
本考案は、例えばトラックの荷台に設置して運搬し、運搬先で格納した屋根を立ち上げることで屋根付きの小部屋を提供することができる簡易ハウスに関するものである。
【背景技術】
【０００２】
近年、街中では例えば食品（例えば、弁当、クレープ、ホットドッグ、ソフトクリーム等）や物品等を販売する移動販売車がよく見受けられる。移動販売車の中にはいわゆるキッチンカーと呼ばれる調理システムを備えた車もある。これら移動販売車は、例えばワンボックス車を改造したり、軽トラックの荷台にコンテナを取り付けたり、あるいは木造作り付けでキャビンを構築したり、あるいはキャンピングカーを改造したり等で各々所望の移動販売車を作製している。
先行技術文献としてこれらのような移動販売車の一例を示す。例えば、特許文献１ではトラックの荷台に載置できる移動販売用のコンテナが開示されている。特許文献２はキッチンカーである移動販売車の一例である。例えば、特許文献３のようなキャンピングカーを改造することも可能である。
【先行技術文献】
【特許文献】
【０００３】
【特許文献１】特開２０１７ー３５９８８号公報
【特許文献２】特開２０１７ー３５９８８号公報
【特許文献３】実用新南登録第３１５６０３４号公報
【考案の概要】
【考案が解決しようとする課題】
【０００４】
しかし、従来の移動販売車は製造しやすさ、荷台への設置しやすさ、運転時の風抵抗の少なさ等から販売する際の作業領域は直方体形状のコンテナのような凹凸の少ないシンプルな外観であることが多く、必ずしも造形的に優れているとはいいがたかった。また、一般に天井高が低いため狭く、キッチンカーでは熱がこもるため暑くなってしまう。
一方、例えば上記のように木造作り付けであれば様々な意匠を凝らすこらすことも可能ではあり、大きさも裕度があるように構成とすることができる。例えば天井高を高く取ることも可能である。しかし、例えばトラックの荷台に設置する場合であれば道路交通法上、荷台の横幅からはみ出ることは許されない。また、あまり上方に大きく構築すると運搬時に風の抵抗を大きくうけることとなってしまう。また、形状が複雑だったり様々なデコレーションが取り付けられていると壊れやすくなってしまう。
そのため、運搬しやすく、壊れにくい形状で、使用の際には意匠的に優れた顧客吸引力のある造形の簡易ハウスが求められていた。尚、必ずしも簡易ハウスは移動販売車の一部として使用しなければなわないわけではなく、地上に設置して使用することも念頭に置かれている。
【課題を解決するための手段】
【０００５】
本考案では、第１の手段として、第１の屋根パネルと第２の屋根パネルとが傾斜を持って接合された山形形状の屋根は、本体フレーム上に設置され、前記屋根は前記本体フレームに対して束部材で支持されるとともに、前記第１の屋根パネルと前記第２の屋根パネルはそれぞれ前記本体フレーム上部に配置された案内部材によって支持されており、前記束部材はその先端側で前記屋根の棟、あるいは棟近傍を支持する一方、基部側で前記本体フレーム側に回動可能に支持され、前記束部材が直接的又は間接的に前記基部を中心に回動させられることで前記屋根は案内部材によって案内されて回動可能とされ、所定の第１の停止位置では前記屋根の棟が上方を向いて配置され、所定の第２の停止位置では前記第１の屋根パネルが前記本体フレームの側方に退避し前記第２の屋根パネルが前記本体フレーム上部に倒伏した屋根格納位置に配置されるようにした。
これによって、屋根格納時には屋根はコンパクトに畳まれて本体フレームから大きくはみ出すことがなく格納でき、一方、屋根使用時には山形形状の尖った屋根が本体フレームの上に起立することとなる。そのため、運搬しやすく、使用の際には意匠的に優れ、屋根が立ち上がることで内部容積が大きな簡易ハウスを提供することができる。また、簡単な構造であるため低コストで実現ができる。
【０００６】
「第１の屋根パネルと第２の屋根パネルとが傾斜を持って接合された山形形状の屋根」は、いわゆる切妻で代表されるように２枚の屋根パネルが山形形状に接合された形状である。切妻形状として見た場合の妻側（けらば側）には破風板に相当するパネルが配置されてもよい。また、第１の屋根パネルと第２の屋根パネルの軒先は本体フレームの外側に張り出すくらいに十分長いことがよい。本体フレームの外側に張り出すことで軒先領域が広くなるからである。
「本体フレーム」は、例えばパイプや木製梁等の長尺部材を縦横かつ高さ方向に三次元的に剛接合させて構築した架構体である。長尺部材が接合した交差部分は互いに直交することがよく、補強的に斜材を配するようにしてもよい。強度を上げるために長尺部材で構成される開口面にパネルを取り付けるようにしてもよい。
「束（つか）部材」とは、本体フレームと屋根の間に配置される一種のロッドである。屋根は束部材と左右の案内部材の３点で支持されながら回動する。３点で支持することで屋根の回動は滑らかとなり、回動時に屋根を歪ませることなく安定的に回動させることができる。また、構造的に簡単で上半身の重量も軽減できる。３点支持は屋根の前後方向で複数箇所に設けることがよい。例えば最も前方と最も後方で３点支持させるとバランス上よい。
回動の軌跡は理想的には円弧運動であることがよいが、実際の第１の屋根パネルと第２の屋根パネルの角度や、回動中心となる束部材基部の位置や、束部材基部から屋根側に連結された束部材先端までの距離と束部材基部から左右の案内部材までの距離、温度による部材の長さの変化等の条件から円弧運動から若干ずれた回動運動になる可能性がある。
「束部材が直接的又は間接的に前記基部を中心に回動させられる」であるので、束部材を直接押動して回動させてもよく、束部材に連結された梁等を押動して間接的に束部材を押動させてもよい。
「所定の第１の停止位置」は、屋根の棟（尖って水平に配置された部分）が上方向を向いた状態、つまり屋根が普通に建物の上に置かれている状態である。これによって「ちゃんとした屋根のある小屋」というイメージで簡易ハウスが設置されることとなり、意匠的に優れた簡易ハウスを提供できる。
「所定の第２の停止位置」は、屋根が回動して進出した第１の屋根パネルが本体フレームの側方に退避し、第２の屋根パネルが屋根の一部として傾斜した状態から本体フレーム上部に倒伏した状態である。屋根パネルはいずれも本体フレームと平行あるいは略平行に配置されることとなるため、屋根パネルは本体フレームの外方に大きく張り出さずコンパクトに格納されることとなる。
「案内部材」は、例えばコロ、ベアリングの入ったローラー装置、ボールキャスター等がよい。
「屋根パネル」は例えば、トタン板、ＦＲＰ樹脂、ベニヤ板等を着色して使用することがよい。以下、の各種パネルも同様である。
これらの用語の定義は以下も同様である。
【０００７】
また、第２の手段として、前記束部材を直接的又は間接的に前記基部を中心に回動させるための回動装置を設けるようにした。
つまり、例えば手で操作して束部材を基部を中心に回動させることも可能であるが、回動装置のような道具を使用してそれを行うことが、操作の迅速と安全のためによい。「回動装置」は、例えば人力であれば歯車を組み合わせてハンドルを使用する減速装置がよい。電気的な力による駆動装置を利用する場合では減速装置を備えたモータ装置、油圧シリンダー装置、エアシリンダー装置がよい。
また、第３の手段として、前記第１の屋根パネルと前記第２の屋根パネルとのなす内角は直角あるいは直角に近い角度であるようにした。
直角であると円弧運動をさせた際に、束部材基部〜棟と束部材基部左右の案内部材の距離がちょうど半径の長さとなるため、屋根に束部材基部を回動中心とした円弧運動をさせやすいからである。また、所定の第２の停止位置で第１の屋根パネルを水平に、第２の屋根パネルを垂直に配置できるため、屋根格納位置において収まりのよい角度となるからである。束部材基部から案内部材までの距離は束部材基部から屋根当接位置までの距離と同じであるとよい。直角に近い角度は屋根格納位置において概ね第１の屋根パネルが水平で、第２の屋根パネルを垂直であるといえる程度の角度であればよく、例えば８５度〜９５度程度であれば直角に近い角度といえる。
【０００８】
また、第４の手段として、前記束部材先端は前記屋根側の被係合部に係合されているようにした。
これによって束部材を回動する回転力が屋根を回転方向に押動する力となり、束部材先端から屋根側の被係合部に伝達されて屋根を回動させることができる。屋根側の被係合部としては、例えば屋根下に取り付けた金具や屋根に開けた透孔等を用いることがよい。束部材先端と被係合部は単に接しているだけで連結されていないことがよい。
また、第５の手段として、前記束部材は前記屋根の荷重を前記屋根と非連結状態で支持するようにした。
屋根の回動の際に屋根が必ずしもきれいに円弧運動できるとはかぎらないため、束部材は屋根を支えることができるものの単に接しているだけで両者は積極的に連結されていないことがかえってよいからである。
また、第６の手段として前記本体フレームの外周には壁パネルが配設されているようにした。
本体フレームだけでも屋根を支持して雨水に耐えることはできるが、風を遮ったり見栄えをよくするためには、本体フレームの外周には壁パネルを配して壁面を構築することがよいからである。
また、第７の手段として、前記第２の屋根パネル側の前記壁パネルにはテーブルが配設されており、前記屋根が前記第１の停止位置方向に移動することに連動して前記テーブルは使用位置方向に移動し、前記第２の停止位置方向に移動することで格納位置方向に移動するようにした。
壁パネルにテーブルが吊り下げられており、例えばワイヤやリンク部材を介して屋根が前記第１の停止位置方向に移動する際に連動して起こされテーブルは水平に配置される。逆に第２の停止位置方向に移動することで下垂する。これによって、特に移動販売車として使用される際にユーザーがテーブルを利用できて便利である。
また、第８の手段として、前記テーブルが配設された前記壁パネル上部位置には内外に連通する開口部が形成されているようにした。
これによって、開口部を介してテーブル側から簡易ハウス内の人とアクセスできる。特に移動販売車として利用する場合に開口部から販売を受け取ることができ、それをテーブルにおけるので便利である。
【０００９】
また、第９の手段として、前記第１の屋根パネルの軒には移動式壁パネルが吊り下げられており、前記移動式壁パネルは前記第１の停止位置では前記本体フレームに隣接した位置に格納され、前記第２の停止位置で前記本体フレームから外方に張り出した位置に配置されるようにした。
これによって、所定の第１の停止位置において、第１の屋根パネルの軒の進出量に応じて外方に移動式壁パネルで包囲された空間を形成することができ、簡易ハウスの内部領域を大きくすることができるため、使い勝手がよくなる。
また、第１０の手段として、前記本体フレームはトラックの荷台に設置されて運搬可能であるようにした。
トラックの荷台に乗せられる大きさであれば、トラックで自由に移動させて所望の場所において設置して利用することができる。トラックに荷台に乗せたまま、例えば移動販売車として利用することもできる。移動先でトラックの荷台から下ろして使用するようにしてもよい。
また、第１１の手段として、第１〜第１０の手段の簡易ハウスを車両に搭載するようにした。
車両に搭載して、例えばそのまま移動販売車として利用することもできる。車両とはトラック以外の例えば台車、リヤカー等の動力を有さない車両であってもに乗せて手で押して運搬し、所望の場所において設置して利用することができる。もちろんトラックのような車両に搭載してもよい。
【考案の効果】
【００１０】
本考案によれば、屋根格納時には屋根はコンパクトに畳まれて本体フレームから大きくはみ出すことがなく格納でき、一方、使用時には山形形状の尖った屋根が本体フレームの上に起立することとなる。そのため、運搬しやすく、使用の際には意匠的に優れ、屋根が立ち上がることで内部容積が大きくなる簡易ハウスを提供することができる。また、簡単な構造であるため低コストで実現ができる。
【図面の簡単な説明】
【００１１】
【図１】実施の形態の移動販売車の屋根を立ち上げた状態の背面図。
【図２】同じ移動販売車の屋根を格納した状態の背面図。
【図３】同じ移動販売車の屋根の立ち上げた状態の右側面図。
【図４】同じ移動販売車の屋根を格納した状態の右側面図。
【図５】同じ移動販売車の屋根の立ち上げた状態の左側面図。
【図６】同じ移動販売車の本体フレームと屋根の組み立て状態を説明するための分解斜視図。
【図７】同じ移動販売車の屋根が畳まれた状態の屋根とロッドと油圧シリンダー装置の位置関係を説明する説明図。
【図８】同じ移動販売車の屋根を立ち上げを立ち上げ途中あるいは畳む途中の状態の屋根とロッドと油圧シリンダー装置の位置関係を説明する説明図。
【図９】同じ移動販売車の屋根を立ち上げた状態の屋根とロッドと油圧シリンダー装置の位置関係を説明する説明図。
【図１０】ロッドの斜視図。
【図１１】円弧上での理想とする屋根とロッドとローラーの位置関係を幾何学的に説明する説明図。
【図１２】（ａ）及び（ｂ）は屋根の軸受けプレートとロッドのシャフトの位置関係を説明する部分拡大説明図。
【図１３】他の実施の形態の屋根の回動手段を説明する説明図。
【図１４】他の実施の形態の屋根とロッドのシャフトとの係合関係を説明する説明図。
【考案を実施するための形態】
【００１２】
以下、本考案の実施の形態である簡易ハウスをトラックに搭載した移動販売車の例について図面に基づいて説明する。
図１〜図５に示すように、軽トラックをベース車とする移動販売車１の長方形形状の荷台２上には簡易ハウス３が搭載されている。荷台２上には図６に示す本体フレーム５が固定されており、簡易ハウス３は本体フレーム５を骨組みとして構築されている。本体フレーム５はパイプ材を縦横に剛接合させた直方体の外形の架構体である。本体フレーム５の直方体形状の各辺方向は荷台２の長方形形状に沿って配置されている。本体フレーム５は次のような部分で構成されている。パイプ材を上下左右に配置して方形な面を構成した前方側の第１のフレーム部５Ａ、同じ構成で後方側の第２のフレーム部５Ｂ、第１及び第２のフレーム部５Ａ、５Ｂに梁となるパイプ材を直交して連結した左側方の第３のフレーム部５Ｃ、及び右側方の第４のフレーム部５Ｄである。４つのフレーム部５Ａ〜５Ｄで包囲される方形の空間の上方は開口されている。右側方の第４のフレーム部５Ｄ内には出入り口となる扉用フレーム部５Ｅが形成されている。尚、図示ではパイプ材を若干太めに描いている。
前方側の第１のフレーム部５Ａと後方側の第２のフレーム部５Ｂの梁パイプ５ａの上部左右端には案内部材としての計４つのローラー６が回動可能に配設されている。ローラー６の回動軸は移動販売車１の前後方向に対して平行であり、ローラー６の転動面はちょうど第１のフレーム部５Ａと第２のフレーム部５Ｂの上部角部分から外方に突出されている。
【００１３】
第１のフレーム部５Ａの外側には前壁パネル７が、第２のフレーム部５Ｂの外側には後壁パネル８が、第３のフレーム部５Ｃの外側には左壁パネル９がそれぞれ固着されている。３つの壁パネル７〜９は荷台２上面の前縁、後縁、左縁にそれぞれ沿って荷台２からはみ出さないように配置される。このように本体フレーム５が３枚の壁パネル７〜９で包囲されることで荷台２上に外部と区画された室内領域が形成されることとなる。後壁パネル８中央上部位置には小窓１０が形成されている。左壁パネル９の上半分の領域には前後方向に延びる開口部１１が形成されている。開口部１１の下位置には開口部１１の長手方向に沿って延出されるカウンターテーブル１２が配設されている。カウンターテーブル１２はヒンジ部材１３によって左壁パネル９に対して揺動可能に固着されている。
【００１４】
本体フレーム５の上には屋根１５が配設されている。屋根１５は同じ長方形の外形で構成された第１の屋根パネル１６と第２の屋根パネル１７を９０度の角度で接合させたいわゆる切妻型の屋根形状に構成されている。第２の屋根パネル１７からワイヤー１４が下垂されカウンターテーブル１２前端寄りに連結されている。
図６に示すように、屋根１５は束部材としての前後一対のロッド１８と前後２組の左右一対のローラー６によって支持されている。図１０に示すように、ロッド１８は有底の外筒１８ａとシャフト１８ｂとによって構成される屋根１５の支持部材である。シャフト１８ｂは外筒１８ａ内に上方の開口部１９から落とし込まれて収納され、その状態で開口部１９から一定の長さが上方に突出されている。外筒１８ａの下端位置には軸受け２１が形成されている。
図７〜図９に示すように、本体フレーム５の前後の梁パイプ５ａには内側には回動軸となるピン２２が突出形成されている。連結パイプ２６によって連結された各ロッド１８はそれぞれピン２２に軸受け２１が挿通され、ワッシャ２３及びナット２４によって回動可能とされている。
図６〜図９に示すように、第１の屋根パネル１６と第２の屋根パネル１７の裏面側の交差する近傍であって、屋根１５の長手方向の前後寄りには軸受けプレート２５が固着されている。図１２に示すように、軸受けプレート２５には透孔２５ａが形成され、ロッド１８のシャフト１８ｂが透孔２５ａを挿通している。ロッド１８の外筒１８ａ上面は軸受けプレート２５に当接させられている。つまり、ロッド１８は外筒１８ａの下端側でピン２２によって支持され、外筒１８ａの上端側で屋根１５の荷重を受けている。シャフト１８ｂは外筒１８ａの位置決めと同時に透孔２５ａと係合して屋根１５を押動する。このシャフト１８ｂの作用については後述する。
本体フレーム５には回動装置としての油圧シリンダー装置２７が設置されている。油圧シリンダー装置２７はシリンダ本体２８やピストンロッド２９等をを備え、図示しない電源からの電力の供給を受けて進出・後退を定量的に実行する。ピストンロッド２９の先端はロッド１８の外筒１８ａを連結する連結パイプ２６側面に回動可能に連結されている。油圧シリンダー装置２７のピストンロッド２９の進退に伴ってロッド１８の基部（つまり、ピン２２）を中心に屋根１５は回動する。
【００１５】
図１に示すように、屋根１５の前後の妻側には破風板パネル３１が形成されている。屋根１５の前後長さは前壁パネル７と後壁パネル８の間隔よりもわずかに長く構成されているため、屋根１５は破風板パネル３１がそれぞれ前壁パネル７と後壁パネル８に近接した状態で外側から覆うように、つまり屋根１５が前壁パネル７と後壁パネル８に被さるように屋根は設置される。
図１〜図４に示すように、屋根１５の第１の屋根パネル１６には移動式壁パネル３３が吊り下げられている。移動式壁パネル３３は壁パネル７〜９で包囲された本体フレーム５の第４のフレーム部５Ｄ側に配置される。移動式壁パネル３３は平面視においてコ字状（チャンネル状）に構成されている。移動式壁パネル３３は第４のフレーム部５Ｄと正対する正面パネル３３Ａと、正面パネル３３Ａの前後端において正面パネル３３Ａの延出方向に対して直交して配置された脇パネル３３Ｂとから構成されている。正面パネル３３Ａには扉３４が配設されている。扉３４の側方には小窓３５が形成されている。
移動式壁パネル３３は屋根１５の第１の屋根パネル１６に対してヒンジ金具３６によって吊り下げられており、屋根１５の回動に同期して移動式壁パネル３３は移動販売車１の荷台２上の本体フレーム５に隣接した格納状態（図２、図４の状態）から移動販売車１側方の張り出し状態（図１、図３の状態）の間を往復移動する。格納状態においては、荷台２に取り付けられているあおり３７を立ち上げることで移動式壁パネル３３は側方から包囲される。あおり３７は移動式壁パネル３３の張り出し状態で図示しない吊り下げチェーンによって水平に保持され簡易ハウス３内に進入する際のステップとなる（図１の隠れ線の状態）。
【００１６】
このように構成された移動販売車１において簡易ハウス３の使用方法、具体的には屋根１５の回動に伴う外観の変化について説明する。
屋根が畳まれて格納されている状態、つまり、外観的には図２や図４のように簡易ハウス３が直方体の外観を呈している場合を初期状態（第２の停止位置）とする。初期状態では図２や図４に示すようにあおり３７が上げられて移動式壁パネル３３を側方から覆っている。荷台２から周囲に大きく突出する部材はない。この格納状態では図７に示すように屋根１５は畳まれている。第１の屋根パネル１６は倒伏して４つのローラー６に支持された状態で本体フレーム５と平行に配置され、第２の屋根パネル１７は第３のフレーム部５Ｃ（左壁パネル９）に沿って配置される。ロッド１８は最も倒伏した状態となる。
このような初期状態において、作業者が図示しないスイッチを操作することで油圧シリンダー装置２７が駆動される。油圧シリンダー装置２７のピストンロッド２９はシリンダ本体２８側に後退した状態から徐々に進出して、連結パイプ２６を介してロッド１８を押動するため、図８のように倒伏したロッド１８がピン２２を基部として立ち上がる方向に回動させられていく。このロッド１８の立ち上がる方向への回動に伴ってロッド１８の外筒１８ａが軸受けプレート２５を介して屋根１５を押動することとなり、屋根１５はローラー６上を転動して立ち上がっていく。
この時、図１１に示すように、屋根１５の第１の屋根パネル１６と第２の屋根パネル１７は９０度の角度をなしており、第１の屋根パネル１６と第２の屋根パネル１７の幅（長さ）は同じである。そしてピン２２を中心とした円周上の１８０度対向した水平位置にローラー６が配置され、ロッド１８の長さとロッド１８から各ローラー６までの長さは均等である。このような配置状態であるため、第１の屋根パネル１６と第２の屋根パネル１７は常にローラー６に接するような円弧運動をすることになる。
しかし、実際にはローラー６の転動面とピン２２の位置とのずれ、第１の屋根パネル１６と第２の屋根パネル１７の厚みや回動に伴う撓み、本体フレーム５の撓み等の様々な要因から正確に円弧運動ができるわけではない。
そのため、本実施の形態では屋根１５が概ね円弧運動に近い動作をするものとして、円弧からずれた場合を考慮して屋根１５を押動するロッド１８の先端側をフリーにしている。つまり、シャフト１８ｂは軸受けプレート２５の透孔２５ａに遊嵌されており、外筒１８ａも軸受けプレート２５に当接するだけで屋根１５を支持するようになっている。
屋根１５が図１２（ａ）と図１２（ｂ）の間を往復する際に、シャフト１８ｂや外筒１８ａが軸受けプレート２５側と常に同じ位置で接するというわけにはいかない。また、そのように軸と軸受けの関係を構成することは非常に面倒である。そのため、このように構成することで、屋根１５が回動する際にシャフト１８ｂや外筒１８ａに作用する様々なベクトルの力に対して部材衝突による抵抗が生じにくくなっている。
【００１７】
さて、屋根１５が立ち上がっていくと、第１の屋根パネル１６と第２の屋根パネル１７の軒側が徐々に荷台２の両側に張り出していくことになる。第１の屋根パネル１６の回動に伴って移動式壁パネル３３が荷台２の側方に張り出すと同時に荷台２の上から斜め下方に下がっていく。また、第２の屋根パネル１７の張り出しに伴って、ワイヤー１４で吊り下げられたカウンターテーブル１２が水平方向に揺動されていく。
本実施の形態では例えば図９に示すようにロッド１８が垂直方向に起立した状態で停止させる（第１の停止位置）。図１、図３、図５の外観状態と図９は同期している。移動販売車１の設置場所の傾斜によってはこの停止状態でカウンターテーブル１２の上面が水平になるとは限らない。カウンターテーブル１２の上面が水平になるように（カウンターテーブル１２以外の簡易ハウス３内部設備も同様である）の停止位置は適宜調整される。
以上の動作は第２の停止位置から第１の停止位置への変位であったが、第１の停止位置から第２の停止位置へ復帰する際は以上の逆動作となる。
【００１８】
このような構成の実施の形態の移動販売車１（簡易ハウス３）では次のような効果が奏される。
（１）移動販売車１の移動の際には簡易ハウス３を屋根１５畳むことでコンパクト化することができるため、運搬の際に風雨の抵抗を極力抑えることができ、外に張り出す部位もないため、風雨によって飛んだり樹木の枝に触って損傷することもない。
（２）簡易ハウス３は通常のコンテナハウスとは異なり屋根１５が立ち上がって内部空間が大きくなるため圧迫感がなくなり、内部での作業もしやすくなる。
（３）屋根１５は荷台２の左右に大きく張り出すとともに上方にも屹立して典型的な切妻の屋根を構成するため簡易ハウス３は小屋風のしゃれたイメージになるため、集客力が向上する。
（４）屋根１５はローラー６によって荷台２を横切る方向に速やかに回動するように支持されているため、油圧シリンダー装置２７による屋根１５の回動がスムーズである。
（５）ロッド１８は外筒１８ａに対してシャフト１８ｂがフリーな状態とされ、シャフト１８ｂは軸受けプレート２５に挿通されて軸受けプレート２５を介して屋根１５を回動するようになっている。屋根１５と外筒１８ａも固定されず外筒１８ａに屋根１５の荷重が支えられている。そのため、屋根１５の回動の際にシャフト１８ｂや筒１８ａに作用する様々なベクトルの力に対して抵抗になりにくくなっており、屋根１５のスムーズな回動に寄与する。
（６）屋根１５が左右に大きく張り出させることができ、第２の屋根パネル１７側に軒先領域を大きく取ることができ、例えばファーストフードを提供する場合にその食品が雨に当たることを防止することができる。その場で飲食する人の雨除けや日除けにもなる。
（７）第１の屋根パネル１６側に移動式壁パネル３３が配置されてプラスアルファの領域が簡易ハウス３に設けられるため、荷物等を荷台２上に載せずに移動式壁パネル３３側の領域に置くことができる。また、あおり３７が水平に配置されるため、荷物置きや荷台２に乗り込む際のステップとして便利である。
【００１９】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・油圧シリンダー装置２７の取り付け位置や取り付け台数は上記は一例である。機構的な動きの説明を優先しているため、必ずしも最適な取り付け位置というわけではない。
・駆電気的な力による駆動装置としては油圧シリンダー装置２７意外に、減速装置を備えたモータ装置、エアシリンダー装置を用いてもよい。
・手動によってロッド１８のような揺動軸を動かすようにしてもよい。例えば、図１３に示すように、ロッド１８の基部に第１歯車４１を設け、これよりも歯数のかなり少ない第２歯車４２を噛合させ、第２歯車４２をハンドル４３で回動させることで、第１歯車４１を介して手動によって屋根１５を回動させることができる。
・上記実施の形態では屋根１５の裏面に軸受けプレート２５を配置し、この軸受けプレート２５を介してロッド１８の外筒１８ａによって屋根１５の荷重を支えるような構成であった。しかし、これは一例であって、様々な具体的な構造で屋根１５の荷重を支えることが可能である。例えば、図１４のように屋根１５の裏面に直接ロッド１８の外筒１８ａに相当する部材で荷重を受けるようにしてもよい。その場合には位置決めのために例えば屋根１５に透孔４５を形成し、上記のようなシャフト１８ｂに相当する位置決め部材を挿通させるようにしてもよい。但し、この場合には透孔４５からの雨水の浸入を防止するためにカバー４６を設けるようにすることがよい。カバー４６は例えば合成ゴム製の有底のゴムブーツを被せるようにすることがよい。
・上記実施の形態ではロッド１８の位置ずれ防止と屋根１５の押動のためにシャフト１８ｂを使用したが、逆に屋根１５側にシャフト１８ｂに相当する係合手段を設けるようにして、ロッド側に係合させて屋根１５を回動させるようにしてもよい。
・簡易ハウス３を荷台２から下ろして使用するようにしてもよい。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００２０】
３…簡易ハウス、５…本体フレーム、６…案内部材としてのローラー、１５…屋根、１６…第１の屋根パネル、１７…第２の屋根パネル、１８…束部材してのロッド。
【図１】
0003223856.tif 000003
【図２】
0003223856.tif 000004
【図３】
0003223856.tif 000005
【図４】
0003223856.tif 000006
【図５】
0003223856.tif 000007
【図６】
0003223856.tif 000008
【図７】
0003223856.tif 000009
【図８】
0003223856.tif 000010
【図９】
0003223856.tif 000011
【図１０】
0003223856.tif 000012
【図１１】
0003223856.tif 000013
【図１２】
0003223856.tif 000014
【図１３】
0003223856.tif 000015
【図１４】
0003223856.tif 000016